【手続補正書】
【提出日】平成17年2月23日(2005.2.23)
【手続補正１】
【補正対象書類名】明細書
【補正対象項目名】特許請求の範囲
【補正方法】変更
【補正の内容】
【特許請求の範囲】
【請求項１】
文字が表示される表示部と、該表示部を制御する制御部とを有する文字表示装置において、
該表示部は、その表示面に、所定の方向に配列されて複数の色要素のうちの対応する少なくとも１つの色要素がそれぞれ割り当てられた複数のサブピクセルをそれぞれ含む、複数のピクセルを有し、
該制御部は、文字の形状を表す文字形状データに基づいて、複数のサブピクセルの中から、文字の骨格を表す基本部分に対応するサブピクセルを決定し、輝度レベルが決定されるピクセルに含まれるサブピクセルと、その近傍のサブピクセルとの中から、該基本部分に対応するサブピクセルの配列パターンを抽出し、抽出されたサブピクセルの配列パターンのうち割り当てられた基本部分の配置に置換あるいは複製を含む所定の変更を加え、変更後の配列パターンに基づいて、サブピクセルの輝度レベルを決定する文字表示装置。
【請求項２】
前記制御部は、前記基本部分に対応するサブピクセルの位置と、それに隣接するサブピクセルの位置とを置換した場合のサブピクセルの配列に基づいて、サブピクセルの輝度レベルを決定することができる請求項１に記載の文字表示装置。
【請求項３】
前記制御部は、前記基本部分に対応するサブピクセルに加えて、それに隣接するサブピクセルを基本部分とした場合のサブピクセルの配列に基づいて、サブピクセルの輝度レベルを決定することができる請求項１に記載の文字表示装置。
【請求項４】
前記制御部は、表示されるべき文字の色と背景の色との組み合わせによって、前記サブピクセルの配列と、前記サブピクセルの輝度レベルとの対応関係を変更することができる請求項１に記載の文字表示装置。
【請求項５】
前記制御部は、予め登録された文字の色および背景の色と、表示されるべき文字の色および背景の色との差の大小によって、前記サブピクセルの配列と、前記サブピクセルの輝度レベルとの対応関係を変更することができる請求項１に記載の文字表示装置。
【請求項６】
所定の方向に配列されて複数の色要素のうちの対応する少なくとも１つの色要素がそれぞれ割り当てられた複数のサブピクセルをそれぞれ含む、複数のピクセルを有し、文字が表示される表示部と、該表示部を制御する制御部とを有する文字表示装置において、該表示部の表示面に、文字を表示する方法であって、
文字の形状を表す文字形状データに基づいて、複数のサブピクセルの中から、文字の骨格を表す基本部分に対応するサブピクセルを決定するステップと、
輝度レベルが決定されるピクセルに含まれるサブピクセルと、その近傍のサブピクセルとの中から、該基本部分に対応するサブピクセルの配列パターンを抽出するステップと、
抽出されたサブピクセルの配列パターンのうち割り当てられた基本部分の配置に置換あるいは複製を含む所定の変更を加え、変更後の配列パターンに基づいて、サブピクセルの輝度レベルを決定するステップとを含む文字表示方法。
【請求項７】
所定の方向に配列されて複数の色要素のうちの対応する少なくとも１つの色要素がそれぞれ割り当てられた複数のサブピクセルをそれぞれ含む、複数のピクセルを有し、文字が表示される表示部と、該表示部を制御する制御部とを有する文字表示装置において、該表示部の表示面に、文字を表示する際に用いられる制御プログラムであって、
該制御部に対して、文字の形状を表す文字形状データに基づいて、複数のサブピクセルの中から、文字の骨格を表す基本部分に対応するサブピクセルを決定し、輝度レベルが決定されるピクセルに含まれるサブピクセルと、その近傍のサブピクセルとの中から、該基本部分に対応するサブピクセルの配列パターンを抽出し、抽出されたサブピクセルの配列パターンのうち割り当てられた基本部分の配置に置換あるいは複製を含む所定の変更を加え、変更後の配列パターンに基づいて、サブピクセルの輝度レベルを決定する処理を実行させるための処理手順が記述された制御プログラム。
【請求項８】
所定の方向に配列されて、複数の色要素のうちの対応する少なくとも１つの色要素がそれぞれ割り当てられている、複数のサブピクセルをそれぞれ含む、複数のピクセルを有し、文字が表示される表示部と、該表示部を制御する制御部とを有する文字表示装置によって読み取り可能な記録媒体であって、
該制御部に対して、文字の形状を表す文字形状データに基づいて、複数のサブピクセルの中から、文字の骨格を表す基本部分に対応するサブピクセルを決定し、輝度レベルが決定されるピクセルに含まれるサブピクセルと、その近傍のサブピクセルとの中から、該基本部分に対応するサブピクセルの配列パターンを抽出し、抽出されたサブピクセルの配列パターンのうち割り当てられた基本部分の配置に置換あるいは複製を含む所定の変更を加え、変更後の配列パターンに基づいて、サブピクセルの輝度レベルを決定する処理を実行させるための処理手順が記述された制御プログラムが記録された記録媒体。
【手続補正２】
【補正対象書類名】明細書
【補正対象項目名】００１９
【補正方法】変更
【補正の内容】
【００１９】
各サブピクセルの色要素レベルは、図１１に一例を示す輝度テーブル５ｄに設定されている色要素レベルと輝度レベルとの対応関係に基づいて、輝度レベルに変換される。図１３（ｂ）の例では、基本部分に対応するサブピクセル１２の輝度レベルは「０」に設定される。また、そのサブピクセル１２に隣接する色要素レベルが「５」のサブピクセルの輝度レベルは「７３」に設定され、色要素レベルが「２」のサブピクセルの輝度レベルは「１８２」に設定され、色要素レベルが「１」のサブピクセルの輝度レベルは「２１９」に設定される。また、背景に相当するものとして色要素レベルが「０」に設定されたサブピクセル１４の輝度レベルは「２５５」に設定される。
【手続補正３】
【補正対象書類名】明細書
【補正対象項目名】００３３
【補正方法】変更
【補正の内容】
【００３３】
【課題を解決するための手段】
本発明の文字表示装置は、文字が表示される表示部と、該表示部を制御する制御部とを有する文字表示装置において、該表示部は、その表示面に、所定の方向に配列されて複数の色要素のうちの対応する少なくとも１つの色要素がそれぞれ割り当てられた複数のサブピクセルをそれぞれ含む、複数のピクセルを有し、該制御部は、文字の形状を表す文字形状データに基づいて、複数のサブピクセルの中から、文字の骨格を表す基本部分に対応するサブピクセルを決定し、輝度レベルが決定されるピクセルに含まれるサブピクセルと、その近傍のサブピクセルとの中から、該基本部分に対応するサブピクセルの配列パターンを抽出し、抽出されたサブピクセルの配列パターンのうち割り当てられた基本部分の配置に置換あるいは複製を含む所定の変更を加え、変更後の配列パターンに基づいて、サブピクセルの輝度レベルを決定し、そのことにより上記目的が達成される。
【手続補正４】
【補正対象書類名】明細書
【補正対象項目名】００３８
【補正方法】変更
【補正の内容】
【００３８】
本発明の文字表示方法は、所定の方向に配列されて複数の色要素のうちの対応する少なくとも１つの色要素がそれぞれ割り当てられた複数のサブピクセルをそれぞれ含む、複数のピクセルを有し、文字が表示される表示部と、該表示部を制御する制御部とを有する文字表示装置において、該表示部の表示面に、文字を表示する方法であって、文字の形状を表す文字形状データに基づいて、複数のサブピクセルの中から、文字の骨格を表す基本部分に対応するサブピクセルを決定するステップと、輝度レベルが決定されるピクセルに含まれるサブピクセルと、その近傍のサブピクセルとの中から、該基本部分に対応するサブピクセルの配列パターンを抽出するステップと、抽出されたサブピクセルの配列パターンのうち割り当てられた基本部分の配置に置換あるいは複製を含む所定の変更を加え、変更後の配列パターンに基づいて、サブピクセルの輝度レベルを決定するステップとを含み、そのことにより上記目的が達成される。
【手続補正５】
【補正対象書類名】明細書
【補正対象項目名】００３９
【補正方法】変更
【補正の内容】
【００３９】
本発明の制御プログラムは、所定の方向に配列されて複数の色要素のうちの対応する少なくとも１つの色要素がそれぞれ割り当てられた複数のサブピクセルをそれぞれ含む、複数のピクセルを有し、文字が表示される表示部と、該表示部を制御する制御部とを有する文字表示装置において、該表示部の表示面に、文字を表示する際に用いられる制御プログラムであって、該制御部に対して、文字の形状を表す文字形状データに基づいて、複数のサブピクセルの中から、文字の骨格を表す基本部分に対応するサブピクセルを決定し、輝度レベルが決定されるピクセルに含まれるサブピクセルと、その近傍のサブピクセルとの中から、該基本部分に対応するサブピクセルの配列パターンを抽出し、抽出されたサブピクセルの配列パターンのうち割り当てられた基本部分の配置に置換あるいは複製を含む所定の変更を加え、変更後の配列パターンに基づいて、サブピクセルの輝度レベルを決定する処理を実行させるための処理手順が記述され、そのことにより上記目的が達成される。
【手続補正６】
【補正対象書類名】明細書
【補正対象項目名】００４０
【補正方法】変更
【補正の内容】
【００４０】
本発明の記録媒体は、所定の方向に配列されて、複数の色要素のうちの対応する少なくとも１つの色要素がそれぞれ割り当てられている、複数のサブピクセルをそれぞれ含む、複数のピクセルを有し、文字が表示される表示部と、該表示部を制御する制御部とを有する文字表示装置によって読み取り可能な記録媒体であって、該制御部に対して、文字の形状を表す文字形状データに基づいて、複数のサブピクセルの中から、文字の骨格を表す基本部分に対応するサブピクセルを決定し、輝度レベルが決定されるピクセルに含まれるサブピクセルと、その近傍のサブピクセルとの中から、該基本部分に対応するサブピクセルの配列パターンを抽出し、抽出されたサブピクセルの配列パターンのうち割り当てられた基本部分の配置に置換あるいは複製を含む所定の変更を加え、変更後の配列パターンに基づいて、サブピクセルの輝度レベルを決定する処理を実行させるための処理手順が記述された制御プログラムが記録され、そのことにより上記目的が達成される。
【手続補正７】
【補正対象書類名】明細書
【補正対象項目名】００６２
【補正方法】変更
【補正の内容】
【００６２】
図１７（Ａ）は、ビットマップデータにおいて注目しているビットＤ（ｘ，ｙ）の８近傍のビット例を示す。ビットＮ（ａ，ｂ）が「１」の値を有することをＮ（ａ，ｂ）＝１と表すと、図１７（Ａ）においてＮ（０，−１）＝Ｎ（１，１）＝１であり、Ｎ（１，０）＝Ｎ（０，１）＝Ｎ（−１，１）＝Ｎ（−１，０）＝０であり、「※」で示されるＮ（−１，−１）およびＮ（１，−１）は「０」または「１」の任意の値を有する。また、図１７（Ｂ）は、ビットＤ（ｘ，ｙ）の８近傍のビットが図１７（Ａ）に示される値を有する場合に、基本部分定義ルールによって基本部分と対応付けられるサブピクセルを示す図である。基本部分定義ルールにおいて、ピクセルＰ（ｘ，ｙ）に含まれる３個のサブピクセルのそれぞれが基本部分として対応付けられるか否かは、ピクセルＰ（ｘ，ｙ）に対応付けられたビットＤ（ｘ，ｙ）の近傍のビットＮ（ａ，ｂ）の「０」および「１」の配列によって以下のように決定される。なお、以下の説明ではビットＤ（ｘ，ｙ）は「１」の値を有するものとする。図１６に示すように、ビットＤ（ｘ，ｙ）に対応付けられた表示面上のピクセルＰ（ｘ，ｙ）は、３個のサブピクセルＣ（３ｘ，ｙ）、Ｃ（３ｘ＋１，ｙ）およびＣ（３ｘ＋２，ｙ）を含み、これらのサブピクセルのうち、図１７（Ｂ）に「１」で示されるサブピクセルが基本部分に対応付けられ、「０」で示されるサブピクセルは基本部分に対応付けられない。すなわち、サブピクセルＣ（３ｘ＋２，ｙ）は基本部分に対応付けられ、Ｃ（３ｘ，ｙ）およびＣ（３ｘ＋１，ｙ）は基本部分に対応付けられない。例えば、図１７（Ａ）に示すビットマップデータにおいて、ストロークはビットＮ（０，−１）、Ｄ（ｘ，ｙ）、Ｎ（１，１）に対応する領域を通る曲線（図１７（Ａ）の破線５０）であると推測される。このような曲線は、ビットＤ（ｘ，ｙ）に対応する領域内部の右側を通過すると考えられるので、図１７（Ｂ）においてビットＤ（ｘ，ｙ）に対応するピクセルＰ（ｘ，ｙ）に含まれる右側のサブピクセルＣ（３ｘ＋２，ｙ）が基本部分に対応付けられる。
【手続補正８】
【補正対象書類名】明細書
【補正対象項目名】００６５
【補正方法】変更
【補正の内容】
【００６５】
各サブピクセルの色要素レベルは、色要素レベルと輝度レベルとの対応関係に基づいて、輝度レベルに変換される。図２（ｂ）の例では、基本部分に対応するサブピクセル１２の輝度レベルは「０」に設定される。また、そのサブピクセル１２に隣接する色要素レベルが「５」のサブピクセルの輝度レベルは「７３」に設定され、色要素レベルが「２」のサブピクセルの輝度レベルは「１８２」に設定され、色要素レベルが「１」のサブピクセルの輝度レベルは「２１９」に設定される。また、背景に相当するものとして色要素レベルが「０」に設定されたサブピクセル１４の輝度レベルは「２５５」に設定される。
【手続補正９】
【補正対象書類名】明細書
【補正対象項目名】００６６
【補正方法】変更
【補正の内容】
【００６６】
このようにして輝度レベルを決定する際に、本実施形態では、図２（ｃ）に示すように、輝度レベルが決定されるピクセル（注目ピクセル）１５に含まれるＭ個のサブピクセル１６と、その両側に隣接するＮ個のサブピクセル１７とを加えたＭ＋２×Ｎ個のサブピクセルに含まれる基本部分の配列を抽出し、抽出された配列パターンに基づいて、注目ピクセル１５に含まれるＭ個のサブピクセル１６の輝度レベル、すなわちピクセルの画素値を決定する。
【手続補正１０】
【補正対象書類名】明細書
【補正対象項目名】００６７
【補正方法】変更
【補正の内容】
【００６７】
図３は、画素値テーブル５ｅの一例を示す図である。この図３および以下の図４〜図７では、図２（ｃ）に示す注目ピクセル１５に含まれるサブピクセル１６の個数Ｍ＝３、その両側にそれぞれ隣接するサブピクセル１７の個数Ｎ＝３の場合について説明する。なお、上記サブピクセルの個数Ｎは、通常、補正パターンの要素数（図１０の例では３）と同じ数が用いられる。図３の左側には、サブピクセルの配列と同じ方向に並ぶ、３つのピクセル（注目ピクセル１５とその両側のピクセル）に含まれる９つのサブピクセルの配列パターンを示している。図中、「０」はそのサブピクセルが基本部分ではないことを示し、「１」はそのサブピクセルが基本部分であることを示し、「ｘ」はそのサブピクセルが基本部分であっても基本部分でなくてもよいことを示す。また、図３の右側には、図３の左側の各配列パターンに対応する、注目ピクセルに含まれる（Ｒ、Ｇ、Ｂ）の各サブピクセルの輝度値を示している。